(57)【要約】【課題】ドレンホースの端部に近い部分が下方に弛まないようにドレンホースの端部を排水溝部材に接続できるドレンホース接続構造を提供する。【解決手段】溝部１ａの両側に側堤部１ｂを有する排水溝部材１に、直接又は凹型部材を介して、ホース押え部材２を排水溝部材１の溝部１ａ又は凹型部材の凹部を跨ぐように取付け、ホース押え部材２と、排水溝部材１の溝部１ａの内底面又は凹型部材の凹部の内底面とで、ドレンホース３の端部３ａを上下から挟持して接続したドレンホース接続構造とする。ドレンホースの端部の位置が排水溝部材の溝部又は凹型部材の凹部の内底面と同じ高さまで低下し、内底面に沿った姿勢で接続されるのでドレンホースが下方に湾曲して弛むことはない。【選択図】図１
2015190626.tif 000002
【特許請求の範囲】
【請求項１】
溝部の両側に側堤部を有する排水溝部材に、直接又は凹型部材を介して、ホース押え部材を排水溝部材の溝部又は凹型部材の凹部を跨ぐように取付け、このホース押え部材と、排水溝部材の溝部の内底面又は凹型部材の凹部の内底面とで、ドレンホースの端部を上下から挟持して、ドレンホースを排水溝部材に直接又は凹型部材を介して接続したことを特徴とする、ドレンホース接続構造。
【請求項２】
ホース押え部材の一端部を排水溝部材の片側の側堤部又は凹型部材の片側の立上り部と脱着可能に係合固定し、ホース押え部材の他端部を排水溝部材の反対側の側堤部又は凹型部材の反対側の立上り部と一体に結合するか、或いは、ホース押え部材の両端部を排水溝部材の両側の側堤部又は凹型部材の両側の立上り部と脱着可能に係合固定して、ホース押え部材を取付けたことを特徴とする、請求項１に記載のドレンホース接続構造。
【請求項３】
ホース押え部材の一端部もしくは両端部に、係部と被係部のいずれか一方を形成すると共に、排水溝部材の片側もしくは両側の側堤部又は凹型部材の片側もしくは両側の立上り部に、係部と被係部のいずれか他方を形成し、係部と被係部のいずれか一方と、いずれか他方を脱着可能に係合させて、ホース押え部材の一端部もしくは両端部を排水溝部材の片側もしくは両側の側堤部又は凹型部材の片側もしくは両側の立上り部に脱着可能に固定したことを特徴とする、請求項２に記載のドレンホース接続構造。
【請求項４】
係部と被係部のいずれか一方と、いずれか他方の係合が、係部と被係部のいずれか一方をいずれか他方に対して横方向にスライドさせて上下方向に係合させるスライド係合であることを特徴とする、請求項３に記載のドレンホース接続構造。
【請求項５】
凹型部材の凹部の内底面を、排水溝部材の下流側に向かって徐々に低くなる傾斜面としたことを特徴とする、請求項１ないし請求項４のいずれかに記載のドレンホース接続構造。
【請求項６】
ホース押え部材の下面又は／及び凹型部材の凹部の内底面に、少なくとも一つの突起部又は排水溝部材の幅方向に長い凸リブを形成したことを特徴とする、請求項１ないし請求項５のいずれかに記載のドレンホース接続構造。
【発明の詳細な説明】
【技術分野】
【０００１】
本発明は、ドレンホースを排水溝部材に接続する構造に関し、更に詳しくは、ドレンホースを下方に弛まないように接続することができるドレンホース接続構造に関する。
【背景技術】
【０００２】
近年、空調機やヒートポンプから出るドレン水は、集合住宅の屋外のベランダや廊下などの床面に設けられた排水溝部材の上流側端部に、空調機などから引き出したドレンホースを接続することにより、排水溝部材を通じて排水処理することが多くなってきた。
【０００３】
ドレンホースを排水溝部材に接続する先行技術としては、例えば、３０°〜９０°湾曲して斜めに立上がる接続用パイプ部を備えた連結具を排水溝部材の上流側端部に取付け、この接続用パイプ部にドレンホースの端部を斜め上方から差込み接続する接続構造が知られている（特許文献１）。
【０００４】
また、輪状体又は部分輪状体の形状を有するホース係止部と、このホース係止部を下方から支持して排水溝部材に固定するための止着部とを具備したホース固定用部材を用いて、このホース固定用部材を止着部のところで排水溝部材に取付け、輪状体又は部分輪状体の形状を有するホース係止部にドレンホースの端部を挿入して接続する接続構造も知られている（特許文献２）。
【先行技術文献】
【特許文献】
【０００５】
【特許文献１】特開２００１−２８９４５９号公報
【特許文献２】特開２００２−２０６６７３号公報
【発明の概要】
【発明が解決しようとする課題】
【０００６】
しかしながら、上記特許文献１のように、排水溝部材に取付けた連結具の斜めに立上がる接続用パイプ部にドレンホースの端部を斜め上方から差込み接続するドレンホース接続構造では、排水溝部材を設けた床面や排水溝部材の溝部よりもかなり高い位置で、ドレンホースの端部が斜め上方に傾斜した姿勢で接続されるため、ドレンホースが長い場合には、ドレンホースの端部に近い部分が下方に湾曲して弛み、この下方に弛んだ部分にドレン水が滞溜して排水溝部材にスムーズに流れ込まないという問題があった。そして、酷い場合には、滞溜するドレン水と、ドレンホースの先端開口から侵入するゴミや虫などによって、ドレンホースの下方に弛んだ部分が閉塞し、ドレン水の排出が不可能になることもあった。
【０００７】
また、上記特許文献２のドレンホース接続構造の場合も、排水溝部材に取付けたホース固定用部材の輪状体又は部分輪状体の形状を有するホース係止部に接続されたドレンホースの端部の位置が高くなり、ドレンホースが長い場合にはドレンホースの端部に近い部分が下方に湾曲して弛むため、上記と同様の問題があった。
【０００８】
本発明は上記の問題に対処すべくなされたもので、その解決しようとする課題は、ドレンホースが長くても、ドレンホースの端部に近い部分が下方に弛まないようにドレンホースの端部を排水溝部材に接続できるドレンホース接続構造を提供することにある。そして、望ましい実施形態においては、ドレンホースの脱着が簡単でメンテナンスも容易に行えるドレンホース接続構造を提供することも課題としている。
【課題を解決するための手段】
【０００９】
上記課題を解決するため、本発明に係るドレンホース接続構造は、溝部の両側に側堤部を有する排水溝部材に、直接又は凹型部材を介して、ホース押え部材を排水溝部材の溝部又は凹型部材の凹部を跨ぐように取付け、このホース押え部材と、排水溝部材の溝部の内底面又は凹型部材の凹部の内底面とで、ドレンホースの端部を上下から挟持して、ドレンホースを排水溝部材に直接又は凹型部材を介して接続したことを特徴とするものである。
【００１０】
本発明のドレンホース接続構造においては、ホース押え部材の一端部を排水溝部材の片側の側堤部又は凹型部材の片側の立上り部と脱着可能に係合固定し、ホース押え部材の他端部を排水溝部材の反対側の側堤部又は凹型部材の反対側の立上り部と一体に結合するか、或いは、ホース押え部材の両端部を排水溝部材の両側の側堤部又は凹型部材の両側の立上り部と脱着可能に係合固定して、ホース押え部材を取付けることが望ましい。
【００１１】
その場合、ホース押え部材の一端部もしくは両端部に、係部と被係部のいずれか一方を形成すると共に、排水溝部材の片側もしくは両側の側堤部又は凹型部材の片側もくしは両側の立上り部に、係部と被係部のいずれか他方を形成し、係部と被係部のいずれか一方と、いずれか他方を脱着可能に係合させて、ホース押え部材の一端部もしくは両端部を排水溝部材の片側もしくは両側の側堤部又は凹型部材の片側もしくは両側の立上り部に脱着可能に固定することが望ましい。
【００１２】
特に、係部と被係部のいずれか一方と、いずれか他方の係合は、係部と被係部のいずれか一方をいずれか他方に対して横方向にスライドさせて上下方向に係合させるスライド係合であることが望ましい。
【００１３】
また、本発明のドレンホース取付構造においては、凹型部材の凹部の内底面を、排水溝部材の下流側に向かって徐々に低くなる傾斜面とすることが望ましく、更に、ホース押え部材の下面又は／及び凹型部材の凹部の内底面に、少なくとも一つの突起部又は排水溝部材の幅方向に長い凸リブを形成することが望ましい。
【発明の効果】
【００１４】
本発明のドレンホース接続構造のように、排水溝部材に直接又は凹型部材を介して取付けたホース押え部材と、排水溝部材の溝部の内底面又は凹型部材の凹部の内底面とで、ドレンホースの端部を上下から挟持して、ドレンホースを排水溝部材に直接又は凹型部材を介して接続する構造であると、ドレンホースの端部の位置が排水溝部材の溝部の内底面又は凹型部材の凹部の内底面と同じ高さまで低下し、かつ、ドレンホースの端部が排水溝部材の溝部の内底面又は凹型部材の凹部の内底面に沿った姿勢で接続されるので、ドレンホースが長い場合でも、ドレンホースの端部に近い部分が下方に湾曲して弛むことはない。従って、先行技術のドレンホース接続構造のように、ドレンホースの下方に弛んだ部分にドレン水が滞溜したり、滞溜するドレン水とドレンホースの先端開口から侵入するゴミや虫によってドレンホースが閉塞されることもないので、ドレン水がドレンホースから排水溝部材にスムーズに流入して排水される。
なお、排水溝部材に凹型部材を介してホース押え部材を取付け、ホース押え部材と凹型部材の凹部の内底面とでドレンホースの端部を上下から挟持して接続する構造では、凹型部材の外面を排水溝部材の溝部の内面に密着させることで、ドレンホースから排水溝部材の溝部に流入したドレン水が溝部の上流側に逆流するのを凹型部材によって防止することもできる。
【００１５】
また、本発明のドレンホース接続構造において、ホース押え部材の一端部を排水溝部材の片側の側堤部又は凹型部材の片側の立上り部と脱着可能に係合固定し、ホース押え部材の他端部を排水溝部材の反対側の側堤部又は凹型部材の反対側の立上り部と一体に結合するか、或いは、ホース押え部材の両端部を排水溝部材の両側の側堤部又は凹型部材の両側の立上り部と脱着可能に係合固定して、ホース押え部材を取付けたものは、ホース押え部材の一端部と排水溝部材の片側の側堤部又は凹型部材の片側の立上り部との係合を解除するか、或いは、ホース押え部材の他端部と排水溝部材の反対側の側堤部又は凹型部材の反対側の立上り部との係合を解除することで、ドレンホースを排水溝部材から簡単に取り外し、清掃、点検などを行った後、ホース押え部材の一端部又は他端部を再び脱着可能に係合固定してドレンホースの端部を接続できるので、メンテナンスが容易である。
【００１６】
その場合、ホース押え部材の一端部もしくは両端部に、係部と被係部のいずれか一方を形成すると共に、排水溝部材の片側もしくは両側の側堤部又は凹型部材の片側もくしは両側の立上り部に、係部と被係部のいずれか他方を形成し、係部と被係部のいずれか一方と、いずれか他方を脱着可能に係合させて、ホース押え部材の一端部もしくは両端部を排水溝部材の片側もしくは両側の側堤部又は凹型部材の片側もしくは両側の立上り部に脱着可能に固定する構成であると、係部と被係部の係合作業や係合解除作業がし易いので、ドレンホースの取り外しや接続が一層容易になり、メンテナンス性が更に向上する。
【００１７】
特に、係部と被係部のいずれか一方をいずれか他方に対して横方向にスライドさせて上下方向に係合させるスライド係合を採用したものは、係合作業や係合解除作業が一層し易くなり、かつ、確実に係合固定できるので、ドレンホースの取り外しや接続が極めて容易になり、メンテナンス性が大幅に向上する。
【００１８】
また、本発明のドレンホース取付構造において、凹型部材の凹部の内底面を、排水溝部材の下流側に向かって徐々に低くなる傾斜面としたものは、ドレンホースの端部が傾斜面に沿って排水溝部材の下流側に少し傾斜した状態で接続されるので、ドレン水の量が多かったり、ドレン水の流勢が強い場合でも、ドレン水の逆流を防止して排水溝部材の溝部にドレン水を確実に流入させることができる。
【００１９】
更に、ホース押え部材の下面又は／及び凹型部材の凹部の内底面に、少なくとも一つの突起部又は排水溝部材の幅方向に長い凸リブを形成したものは、ドレンホースとして、環状凸部と環状凹部を交互に連成して可撓性ないし屈曲性を付与した蛇腹状ホースを使用した場合、上記の突起部や凸リブが蛇腹状ホースの端部の環状凹部に嵌まり込んで、蛇腹状ホースの前後方向（軸線方向）の動きを規制するため、ホース押え部材と凹型部材の凹部の内底面とで挟持された蛇腹状ホースの端部が凹型部材から抜け出すのを防止でき、ドレン水を排水溝部材の溝部に確実に流入させることができる。
【図面の簡単な説明】
【００２０】
【図１】本発明の一実施形態に係るドレンホース接続構造を示す斜視図である。
【図２】図１のＡ−Ａ線に沿った横断面図である。
【図３】同ドレンホース接続構造の分解横断面図である。
【図４】（ａ）〜（ｊ）はそれぞれ形態が異なるホース押え部材を示す平面図である。
【図５】（ａ）〜（ｃ）はホース押え部材を排水溝部材に取付けてドレンホースを排水溝部材に接続する要領を順次説明する横断面図である。
【図６】線材で製作したホース押え部材を示す平面図である。
【図７】本発明の他の実施形態に係るドレンホース接続構造を示す横断面図である。
【図８】（ａ），（ｂ）は同ドレンホース接続構造における係部と被係部の異なる係合の方法を示す部分斜視図である。
【図９】本発明の更に他の実施形態に係るドレンホース接続構造を示す横断面図である。
【図１０】同ドレンホース接続構造の、ホース押え部材の一端部を係合固定する前の状態を示す横断面図である。
【図１１】本発明の更に他の実施形態に係るドレンホース接続構造を示す横断面図である。
【図１２】本発明の更に他の実施形態に係るドレンホース接続構造を示す横断面図である。
【図１３】本発明の更に他の実施形態に係るドレンホース接続構造を示す斜視図である。
【図１４】図１３のＢ−Ｂ線に沿った横断面図である。
【図１５】図１４のＣ−Ｃ線に沿った縦断面図であって、ドレンホースを仮想線で示したものである。
【図１６】同ドレンホース接続構造に用いる凹型部材の斜視図である。
【図１７】本発明の更に他の実施形態に係るドレンホース接続構造を示す縦断面図であって、蛇腹状のドレンホースを仮想線で示したものである。
【図１８】凹型部材の他の例を示す斜視図である。
【図１９】本発明の更に他の実施形態に係るドレンホース接続構造を示す斜視図であって、ドレンホースを仮想線で示したものである。
【発明を実施するための形態】
【００２１】
以下、図面に基づいて本発明の実施形態を詳細に説明する。
【００２２】
先ず、ドレンホースを排水溝部材に直接、接続するタイプのドレンホース接続構造の実施形態から説明する。
図１は本発明の一実施形態に係る直接接続タイプのドレンホース接続構造を示す斜視図、図２は図１のＡ−Ａ線に沿った横断面図、図３は同ドレンホース接続構造の分解横断面図であって、１は排水溝部材、２はホース押え部材、３はドレンホースを示している。
【００２３】
この実施形態のドレンホース接続構造に使用される排水溝部材１は、軟質ないし半硬質の熱可塑性合成樹脂で成形された長尺の部材であって、図１〜図３に示すように、溝部１ａの両側に側堤部１ｂ，１ｂを有するものである。即ち、この排水溝部材１は、長尺帯状の底板部１ｃの両側辺沿いに側堤部１ｂ，１ｂを形成することにより、底板部１ｃと側堤部１ｂ，１ｂとで囲まれる凹状空間を、ドレン水を排水するための溝部１ａとしたものである。
この排水溝部材１は、集合住宅のバルコニーや共同廊下の水勾配を有する床面Ｆに敷設されており、ドレンホース３から流れ出たドレン水が溝部１ａを通じてバルコニーや共同廊下の排水路に排出されるようになっている。
【００２４】
排水溝部材１の溝部１ａは、図１に示すように、ドレンホース３が接続される上流側端部を除いて、軟質ないし半硬質の熱可塑性合成樹脂で成形された長尺の蓋部材１ｄで覆われており、この蓋部材１ｄは、その両側に形成されたフランジ部１ｅ，１ｅを、排水溝部材１の側堤部１ｂ，１ｂの内側面下部に形成された凹条１ｆ，１ｆ（図２等参照）に挿入して取付けられている。そして、蓋部材１ｄの裏面には、蓋部材１ｄが上方からの荷重によって押し潰されないように支持する複数の平行な支持リブ１ｇが蓋部材１ｄの長さ方向に形成されている。
【００２５】
この排水溝部材１の上流側端部においては、図１〜図３に示すように、一対の略キノコ形状の係部４，４が両側の側堤部１ｂ，１ｂの上面から突設されている。この略キノコ形状の係部４は、図２，図３に示すように、上端が丸くなった円錐形の膨大頭部４ａと、この膨大頭部４ａの下端の最大直径よりも小さい直径を有する円柱形の基部４ｂとを備えたものであって、円柱形の基部４ｂの高さはホース押え部材２の厚みとほぼ同じになっている。これらの係部４，４は、軟質ないし半硬質の熱可塑性合成樹脂で排水溝部材１の側堤部１ｂ，１ｂと一体に成形してもよいし、別体で作製して側堤部１ｂ，１ｂの上面に接着、融着、嵌着、係着など所望の方法で脱落しないように取付けてもよい。
【００２６】
ホース押え部材２は、柔軟性や伸縮性が良好な軟質の熱可塑性合成樹脂（例えば軟質塩化ビニル樹脂、オレフィン系樹脂など）やゴムなどで作製された矩形状の部材であって、図２，図３に示すように、このホース押え部材２の両端部には、上記の略キノコ形状の係部４，４と係合する丸穴形状の被係部５，５が形成されている。この丸穴形状の被係部５の直径は、略キノコ形状の係部４の基部４ｂの直径と同一もしくは若干大きく設定されると共に、膨大頭部４ａの最大直径よりも小さく設定されており、丸穴形状の被係部５を弾性的に拡開変形させながら略キノコ形状の係部４を下方から強く挿入（圧入）すると、係部４の膨大頭部４ａが丸穴形状の被係部５を突き抜けて、膨大頭部４ａの下端が丸穴形状の被係部５の周縁に脱着可能に係合するようになっている（以下、この態様の係合を圧入係合という）。
【００２７】
また、ドレンホース３は、軟質ないし半硬質の熱可塑性合成樹脂やゴムなどで作製された、可撓性、柔軟性、弾力性等を有する円管状のホースであって、外径が１５〜３５ｍｍ程度、肉厚が０．５〜１．５ｍｍ程度のものが使用されるが、これに限定されるものではなく、例えば、後述する環状山部と環状谷部を交互に連成したコルゲート管状のドレンホースや、螺旋状山部の間に螺旋状谷部を設けたコルゲート管状のドレンホースなども使用される。
【００２８】
この実施形態のドレンホース接続構造は、排水溝部材１の上流側端部において図３に示すようにドレンホース３の端部３ａを溝部１ａの内底面（底板部１ｃの上面）に載置し、図１，図２に示すように、両側の側堤部１ｂ，１ｂに突設された略キノコ形状の係部４，４と、ホース押え部材２の両端部に形成された丸穴形状の被係部５，５とを脱着可能に圧入係合することによって、ホース押え部材２を排水溝部材１の溝部１ａを跨ぐように排水溝部材１に取付け、このホース押え部材２と排水溝部材１の溝部１ａの内底面（底板部１ｃの上面）とでドレンホース３の端部３ａを上下から挟持して、ドレンホース３を排水溝部材１に直接、接続したものである。
【００２９】
上記のように、排水溝部材１に取付けたホース押え部材２と、排水溝部材１の溝部１ａの内底面（底板部１ｃの上面）とで、ドレンホース３の端部３ａを上下から挟持して、ドレンホース３を排水溝部材１に直接、接続する構造であると、ドレンホース３の端部３ａの位置が排水溝部材１の溝部１ａの内底面と同じ高さまで低下し、かつ、ドレンホース３の端部３ａが排水溝部材１の溝部１ａに対して斜め上方に傾斜した姿勢で接続されることもないので、ドレンホース３が長くても、ドレンホース３の端部３ａに近い部分が下方に湾曲して弛むことはない。従って、ドレン水がドレンホース３の下方に弛んだ部分に滞溜したり、滞溜したドレン水とドレンホース３の先端開口から侵入するゴミや虫によってドレンホース３が閉塞されることがないので、ドレン水がドレンホース３から排水溝部材１の溝部１ａにスムーズに流入し、溝部１ａの下流側端からバルコニーや共同廊下の排水路に排出される。
【００３０】
また、ホース押え部材２は、その両端部に形成された丸穴形状の被係部５，５と、排水溝部材１の両側の側堤部１ｂ，１ｂに突設された略キノコ形状の係部４，４とを、脱着可能に圧入係合させて排水溝部材１に取付けられているため、ホース押え部材２の一端部の被係部５と排水溝部材１の片側の側堤部１ｂの係部４との係合を解除することで、簡単にドレンホース３を排水溝部材１から取り外して清掃、点検などを行うことができ、その後、係合が解除された被係部５と係部４を再び脱着可能に圧入係合するだけで、ドレンホース３の端部３ａを簡単に接続できるので、メンテナンスが容易である。
【００３１】
排水溝部材１や蓋部材１ｄの各部の寸法は特に限定されないが、好ましい寸法を例示すると、排水溝部材１（底板部１ｃ）の幅は６０〜９０ｍｍ程度、底板部１ｃの厚さは１〜３ｍｍ程度、溝部１ａの深さ（側堤部１ｂの高さ）は２〜５ｍｍ程度、溝部１ａの幅は４０〜５５ｍｍ程度、蓋部材１ｄの幅（天板部分の幅）は４０〜５５ｍｍ程度、蓋部材１ｄの高さは２〜５ｍｍ程度、蓋部材１ｄの厚さは１〜３ｍｍ程度である。
【００３２】
また、排水溝部材１や蓋部材１ｄの材質は、前述したように軟質ないし半硬質の熱可塑性合成樹脂、例えば、軟質ないし半硬質の塩化ビニル樹脂やオレフィン系樹脂などが好ましく、このような樹脂を用いると、溶融押出成形などの成形手段で長尺の排水溝部材１や蓋部材１ｄを容易に製造できる利点がある。なお、排水溝部材１や蓋部材１ｄの材質は、軟質ないし半硬質の熱可塑性合成樹脂に限定されるものではなく、例えば、硬質の合成樹脂や、アルミニウムなどの金属で製造しても勿論よい。
【００３３】
排水溝部材１は集合住宅のバルコニーや共同廊下の床面Ｆに単に敷設するだけでもよいが、接着剤などで床面Ｆに貼着固定するほうが好ましい。そして、排水溝部材１の両側又は片側の床面Ｆに合成樹脂製の床材（不図示）を貼着する場合は、排水溝部材１の両側端又は片側端（底板部１ｃの両側端又は片側端）と床材の側端との突き合わせ部分を、樹脂溶接や溶剤溶接などの手段で接合することが好ましい。
【００３４】
矩形状のホース押え部材２の両端部に形成された丸穴形状の被係部５，５の相互間距離（図３に示すようにホース押え部材２が平らな状態にあるときの被係部５，５の相互間距離）は、図２に示すようにホース押え部材２が山なりに凸曲して排水溝部材１の溝部１ａの内底面との間でドレンホース３の端部３ａを上下に圧縮しないように緩く挟んだ状態にあるときの被係部５，５の相互間距離（山なりに凸曲したホース押え部材２に沿った相互間距離、以下、所要の相互間距離という）に対して同じかそれよりも短く設定することが好ましく、具体的には０．９倍〜１倍とすることが好ましい。このようにすると、被係部５，５と係部４，４を圧入係合させてホース押え部材２と溝部１ａの内底面とでドレンホース３の端部３ａを上下から挟持したとき、被係部５，５の相互間距離を短くした分だけホース押え部材２の山なりに凸曲する高さが減少するため、ドレンホース３の端部３ａが上方から強く挟圧され、少し扁平に変形した状態で強固に接続できるという利点がある。
【００３５】
ホース押え部材２の両端部に形成される被係部５，５の形状は、丸穴形状に限定されるものではなく、種々の形状とすることができる。その主なものを図４に例示する。
【００３６】
図４（ａ）に示す矩形状のホース押え部材２の両端部にそれぞれ形成された被係部５は、丸穴部５ａと、この丸穴部５ａからホース押え部材２の両側辺に向かって切り込まれた切込み部５ｂ，５ｂとを有するものであって、丸穴部５ａの直径は略キノコ形状の係部４の基部４ｂの直径と同一もしくは若干大きく設定されており、かつ、膨大頭部４ａの最大直径よりも小さく設定されている。そして、双方の被係部５，５の丸穴部５ａ，５ａの相互間距離は、所要の相互間距離の０．９倍〜１倍に設定されている。
このような形状の被係部５は、略キノコ形状の係部４を圧入係合させるときに、切込み部５ｂ，５ｂが弾性的に拡開し、それほど強く係部４を圧入しなくても簡単かつ確実に係合させることができるので、係部４と被係部５の圧入係合作業が容易になるという利点がある。
【００３７】
図４（ｂ）に示すホース押え部材２の両端部に形成された被係部５，５は、丸穴部５ａ，５ａと、この丸穴部５ａ，５ａからホース押え部材２の両端辺に向かって形成された凹欠部５ｃ，５ｃとを有するものであって、丸穴部５ａの直径は略キノコ形状の係部４の膨大頭部４ａの最大直径と同一もしくは若干大きく設定されており、凹欠部５ｃの幅寸法及び長さ寸法は、係部４の基部４ｂの直径と同一もしくは若干大きく設定されると共に、膨大頭部４ａの最大直径よりも小さく設定されている。そして、双方の凹欠部５ｃ，５ｃの相互間距離は、所要の相互間距離の０．９倍〜１倍とされている。
【００３８】
この図４（ｂ）に示すホース押え部材２は、図５に示す要領で被係部５，５と排水溝部材１の係部４，４とをスライド係合させることで、溝部１ａを跨いだ状態で排水溝部材１に脱着可能に取付けられ、ドレンホースの端部３ａがホース押え部材２と溝部１ａの内底面とで上下から挟持されて接続される。
即ち、図５（ａ）に示すように、ホース押え部材２を自然に山形に屈曲した状態でドレンホースの端部３ａの上に載置する。この図５に示すホース押え部材２は、被係部５，５の凹欠部５ｃ，５ｃの相互間距離（本態様のように、凹欠部５ｃを有し、後述するスライド係合を行う被係部の場合における相互間距離とは、凹欠部５ｃ，５ｃ間の距離を指す）が所要の相互間距離の１倍に設定されたものを例示しているので、図５（ａ）に示すようにホース押え部材２をドレンホースの端部３ａの上に載置すると、被係部５，５の凹欠部５ｃ，５ｃが排水溝部材１の係部４，４の真上に位置することになる。
次いで、図５（ｂ）に示すように、ホース押え部材２の中央部を上方から強く押圧してドレンホースの端部３ａを扁平に変形させる。このようにすると、ホース押え部材２が両側に拡張されて被係部５，５の丸穴部５ａ，５ａが排水溝部材１の略キノコ状の係部４，４の真上に位置するため、係部４，４の膨大頭部４ａ，４ａが被係部５，５の丸穴部５ａ，５ａに下方から挿入されて、上側に突出する。
そこで、図５（ｃ）に示すように、ホース押え部材２の押圧を解除してドレンホースの端部３ａを復元させると、ホース押え部材２の被係部５，５が排水溝部材１の内側に向かって移動するため、相対的に排水溝部材１の係部４，４が被係部５，５の凹欠部５ｃ，５ｃに向かって横方向にスライドし、係部４，４の膨大頭部４ａ，４ａと被係部５，５の凹欠部５ｃ，５ｃとが係合して、ホース押え部材２が排水溝部材１の溝部１ａを跨いだ状態で脱着可能に取付けられる。
このように係部４，４と被係部５，５をスライド係合させる場合は、前述の圧入係合に比べて、係合作業やその解除作業を容易に行えるという利点がある。
なお、被係部５，５の凹欠部５ｃ５ｃの相互間距離が所要の相互間距離よりも短い場合は、山なりに凸曲するホース押え部材２の高さが若干減少するため、ドレンホースの端部３ａは若干扁平した状態で接続されることになる。
【００３９】
図４（ｃ）に示すホース押え部材２の両端部に形成された被係部５，５は、丸穴部５ａ，５ａと、この丸穴部５ａ，５ａからホース押え部材２の一側辺まで形成された割溝部５ｄ，５ｄとを有するものであって、丸穴部５ａの直径は略キノコ形状の係部４の基部４ｂの直径と同一もしくは若干大きく設定されており、かつ、膨大頭部４ａの最大直径よりも小さく設定されている。そして、双方の被係部５，５の丸穴部５ａ，５ａの相互間距離は、所要の相互間距離の０．９倍〜１倍に設定されている。
このような形状の被係部５と略キノコ形状の係部４は、圧入係合させてもよいしスライド係合させてもよい。略キノコ形状の係部４の膨大頭部４ａを被係部５の丸穴部５ａに圧入係合させる場合は、割溝部５ｄが弾性的に拡開するので、圧入係合作業を容易に行うことができ、また、係部４と被係部５をスライド係合させる場合は、係部４の基部４ｂによって被係部５の割溝部５ｄを弾性的に押し広げながら該基部４ｂを丸穴部５ａまで横方向にスライドさせ、膨大頭部４ａを丸穴部５ａの周縁に係合させることで、スライド係合作業を容易に行うことができる。
【００４０】
図４（ｄ）に示すホース押え部材２の両端部に形成された被係部５，５は、割溝部５ｄの幅が丸穴部５ａからホース押え部材２の一側辺に近づくほど徐々に広くなっている点を除いて、図４（ｃ）の被係部５，５と同様に形成されたものである。このような形状の被係部５は、割溝部５ｄを通じて略キノコ形状の係部４を丸穴部５ａまで容易にスライドさせることができるので、スライド係合作業が一層容易になるという利点がある。
【００４１】
図４（ｅ）に示すホース押え部材２の両端部に形成された被係部５，５は、割溝部５ｄ，５ｄが丸穴部５ａ，５ａからホース押え部材２の両端辺まで形成され、かつ、割溝部５ｄ，５ｄの幅が丸穴部５ａからホース押え部材２の両端辺に近づくほど徐々に広くなっている点を除いて、図４（ｃ）の被係部５，５と同様に形成されたものである。このような形状の被係部５は、図４（ｄ）の被係部５と同様に、割溝部５ｄを通じて略キノコ形状の係部４を丸穴部５ａまで容易にスライドさせて係合できるので、スライド係合作業が一層容易になるという利点がある。
【００４２】
図４（ｆ）に示すホース押え部材２は、その一端部に図４（ｂ）に示す被係部５を形成し、他端部に図４（ｃ）に示す被係部５を形成したものであって、一端部の被係部５の凹欠部５ｃと他端部の被係部５の丸穴部５ａとの相互間距離は、所要の相互間距離の０．９倍〜１倍に設定されている。
このようなホース押え部材２は、例えば、一端部の被係部５の凹欠部５ｃに排水溝部材１の片側の略キノコ形状の係部４をスライド係合させ、この係部４の基部４ｂを中心にしてホース押え部材２を回転させながら、他端部の被係部５の割溝部５ｄを通じて排水溝部材１の反対側の係部４を該被係部５にスライド係合させるか、又は、他端部の被係部５と反対側の係部４を圧入係合させることによって、排水溝部材１に簡単かつ脱着可能に取付けることができる。
上記のように、ホース押え部材２の両端部に形成される被係部５，５は必ずしも同じ形状である必要がなく、形状が異なるものであってもよい。
【００４３】
図４（ｇ）に示すホース押え部材２は、その両端部に図４（ｃ）に示す被係部５を小間隔をあけて二つずつ、合計四つ形成したものである。このようなホース押え部材２は、その両端辺寄りの被係部５，５と排水溝部材１の両側の係部４，４を圧入係合又はスライド係合させて排水溝部材１に脱着可能に取付けると、前述した一般的な太さのドレンホースの端部をホース押え部材２と排水溝部材１の溝部１ａの内底面とで挟持して接続することができ、また、ホース押え部材２の両端部の内側寄りの被係部５，５と排水溝部材１の両側の係部４，４を圧入係合又はスライド係合させて、ホース押え部材２を排水溝部材１に脱着可能に取付けると、細いドレンホースの端部を同様に挟持して接続することができる。そして、ホース押え部材２のいずれか一端寄りの被係部５と、他端部の内側寄りの被係部５に、排水溝部材１の両側の係部４，４を圧入係合又はスライド係合させて、ホース押え部材２を排水溝部材１に脱着可能に取付けると、中間の太さのドレンホースの端部を同様に挟持して接続することができる。
なお、この図４（ｇ）のホース押え部材２は、両端部に被係部５を二つずつ形成しているが、両端部に形成する被係部５の数を同一にする必要はなく、両端部で異なる数の被係部５を形成してもよい。
【００４４】
図４（ｈ）に示すホース押え部材２は、その両端部に被係部５を小間隔をあけて二つずつ、合計四つ形成したものであって、ホース押え部材２の両端辺寄りの被係部５，５は、丸穴部５ａ，５ａと、この丸穴部５ａ，５ａからホース押え部材２の両端辺まで形成された割溝部５ｄ，５ｄを有するものであり、また、ホース押え部材２の両端部の内側寄りの被係部５，５は、丸穴部５ａ，５ａと、この丸穴部５ａ，５ａから両端辺寄りの被係部５，５の丸穴部５ａ，５ａまで形成された割溝部５ｅ，５ｅとを有するものである。そして、それぞれの丸穴部５ａの直径は、略キノコ形状の係部４の基部４ｂの直径と同一もしくは若干大きく設定されており、かつ、膨大頭部４ａの最大直径よりも小さく設定されている。
【００４５】
このようなホース押え部材２も、その両端辺寄りの被係部５，５と排水溝部材１の両側の係部４，４を圧入係合又はスライド係合させて排水溝部材１に脱着可能に取付けると、前述の一般的な太さのドレンホースの端部をホース押え部材２と排水溝部材１の溝部１ａの内底面とで挟持して接続することができ、また、ホース押え部材２の両端部の内側寄りの被係部５，５と排水溝部材１の両側の係部４，４を圧入係合又はスライド係合させて、ホース押え部材２を排水溝部材１に脱着可能に取付けると、細いドレンホースの端部を同様に挟持して接続することができる。そして、ホース押え部材２のいずれか一端寄りの被係部５と、他端部の内側寄りの被係部５に、排水溝部材１の両側の係部４，４を圧入係合又はスライド係合させて、ホース押え部材２を排水溝部材１に脱着可能に取付けると、中間の太さのドレンホースの端部を同様に挟持して接続することができる。
なお、ホース押え部材２の両端部に形成する被係部５の数は、異ならせてもよい。
【００４６】
図４（ｉ）に示すホース押え部材２は、その幅を狭小化すると共に、その両端近傍箇所の両側に凸湾曲した膨出部２ａ，２ａを設け、この膨出部を設けた両端近傍箇所に、図４（ｂ）に示す被係部５，５と同じ被係部５，５を形成したものである。このホース押え部材２は、その被係部５，５と排水溝部材１の両側の略キノコ形状の係部４，４を、図５に基づいて既に説明した要領で簡単かつ確実にスライド係合させて、排水溝部材１に脱着可能に取付けることができる。このように、ホース押え部材２の形状は矩形状に限定されず、所望の細長い形状とすることができる。
【００４７】
図４（ｊ）に示すホース押え部材２の両端部に形成された被係部５，５は、角穴部５ｆ，５ｆと、この角穴部５ｆ，５ｆからホース押え部材２の両端辺まで形成された割溝部５ｄ，５ｄとを有するものであって、この割溝部５ｄ，５ｄの幅は、角穴部５ｆ，５ｆからホース押え部材２の両端辺に近づくほど拡張されている。そして、それぞれの角穴部５ｆの一辺の長さは、略キノコ形状の係部４の基部４ｂの直径と同一もしくは若干大きく設定されており、かつ、膨大頭部４ａの最大直径よりも小さく設定されている。このように、被係部５は丸穴部５ａを有するものに限定されず、所望の形状の穴部を有する被係部５としてもよい。なお、角穴部５ｆを有する被係部５を形成する場合は、それに対応して、先端が丸くなった正四角錐状の膨大頭部と角柱状の基部を備えた係部４を、排水溝部材１の両側の側堤部１ｂ，１ｂの上面に突設することが望ましい。
【００４８】
この図４（ｊ）に示すホース押え部材２も、図４（ｅ）に示すホース押え部材２と同様に、両端部の被係部５，５と排水溝部材１の両側の係部４，４を圧入係合させるか、又は割溝部５ｄ，５ｄを通じてスライド係合させることによって、簡単かつ確実にホース押え部材２を排水溝部材１に脱着可能に取付け、ホース押え部材２と排水溝部材１の溝部１ａの内底面とでドレンホースの端部を挟持して接続することができる。
【００４９】
図６はホース押え部材の他の例を示す平面図である。このホース押え部材２は針金などの金属線材２０の両端部を円環状に曲げ加工して被係部５，５を形成したものである。このような金属線材２０で作製されたホース押え部材２も、その両端部に形成された円環状の被係部５，５と排水溝部材１の両側の略キノコ形状の係部４，４とを圧入係合させて、排水溝部材１の溝部１ａを跨いだ状態で脱着可能に取付けることができるので、ドレンホース３の端部３ａをホース押え部材２と溝部１ａの内底面とで挟持させて接続することができる。特に、ドレンホース３が環状山部と環状谷部を交互に連成したコルゲート管状のホースであると、ホース押え部材２の金属線材２０がドレンホース３の環状谷部に食い込むので、ドレンホース３を抜け出し不能に接続することができる。
なお、金属線材２０に代えて、合成樹脂製の線材を用いて、同様のホース押え部材を作製してもよく、また、場合によってはゴムや繊維からなる紐体をホース押え部材として使用してもよい。
【００５０】
以上の実施形態では、排水溝部材１の両側の側堤部１ｂ，１ｂに係部４，４を形成し、ホース押え部材２の両端部に被係部５，５をしているが、これとは逆に排水溝部材１の両側の側堤部１ｂ，１ｂに被係部５，５を形成し、ホース押え部材２の両端部に係部４，４を形成してもよい。
【００５１】
図７，図８はそのような実施形態のドレンホース接続構造を示したものであって、矩形状のホース押え部材２の両端部の下面には、先端が丸くなった円錐状の膨大頭部４ａと、この膨大頭部４ａの最大直径よりも小さい直径を有する円柱状の基部４ｂとを備えた、略キノコ形状の係部４，４が下向きに突設されており、排水溝部材１の両側の側堤部１ｂ，１ｂには、逆Ｔ字状の中空断面を有する溝形の被係部５，５が形成されている。この被係部５，５の幅広の下部の幅寸法は、係部４，４の膨大頭部４ａ，４ａの最大直径と同じか、それより若干大きく設定されており、また、被係部５，５の幅狭の上部の幅寸法は、係部４，４の基部４ｂ，４ｂの直径と同じか、それより若干大きく設定されると共に、係部４，４の膨大頭部４ａ，４ａの最大直径よりも小さく設定されている。
【００５２】
この実施形態のドレンホース接続構造は、図８（ａ）に示すように、ホース押え部材２の略キノコ形状の係部４を、排水溝部材１の側堤部１ｂに形成された溝形の被係部５に上方から圧入係合させるか、又は、図８（ｂ）に示すように、ホース押え部材２の略キノコ形状の係部４を、排水溝部材１の側堤部１ｂに形成された溝形の被係部５に後方からスライド係合させることによって、図７に示すように、排水溝部材１の溝部１ａを跨いだ状態でホース押え部材２の両端部を排水溝部材１の両側の側堤部１ｂ，１ｂに脱着可能に取付け、ドレンホース３の端部３ａをホース押え部材２と溝部１ａの内底面（底板部１ｃの上面）とで上下から挟持して、ドレンホース３を排水溝部材１に直接、接続したものである。
なお、溝形の被係部５に係部４をスライド係合させる場合は、係部４を溝形の被係部５に対応した逆Ｔ字形状に形成してもよい。
【００５３】
また、以上の実施形態では、ホース押え部材２の両端部と排水溝部材１の両側の側堤部１ｂ，１ｂが脱着可能に係合固定されているが、ホース押え部材２の一端部と排水溝部材１の片側の側堤部１ｂを脱着可能に係合固定し、ホース押え部材２の他端部を排水溝部材１の反対側の側堤部１ｂに一体に結合させてもよい。
【００５４】
図９，図１０はそのような実施形態のドレンホース接続構造を示したものであって、矩形状のホース押え部材２の一端部には丸穴形状の被係部５が形成されており、これに対応して、排水溝部材１の片側の側堤部１ｂの上面には、先端が丸くなった円錐状の膨大頭部４ａと、この膨大頭部４ａの最大直径よりも小さい直径を有する円柱状の基部４ｂとを備えた、略キノコ形状の係部４が突設されている。そして、ホース押え部材２の他端部は、ホース押え部材２を排水溝部材１と一体に成形することによって、排水溝部材１の反対側の側堤部１ｂの上面に結合されている。なお、ホース押え部材２の他端部は、接着剤による接着、熱溶着、溶剤溶着などの手段で排水溝部材１の側堤部１ｂと一体に結合してもよい。
【００５５】
この実施形態のドレンホース接続構造は、図１０に示すように、ホース押え部材２の一端部をはね上げた状態でドレンホース３の端部３ａを排水溝部材１の溝部１ａの内底面に載置し、図９に示すように、排水溝部材１の片側の側堤部１ｂに形成された略キノコ形状の係部４とホース押え部材２の一端部に形成された丸穴形状の被係部５を圧入係合させることによって、ホース押え部材２の一端部を排水溝部材１の片側の側堤部１ｂに脱着可能に取付け、ドレンホース３の端部３ａをホース押え部材２と溝部１ａの内底面（底板部１ｃの上面）とで上下から挟持して、ドレンホース３を排水溝部材１に直接、接続したものである。
【００５６】
この実施形態のように、ホース押え部材２の他端部が排水溝部材１の反対側の側堤部１ｂと一体に結合していると、排水溝部材１の片側の係部４とホース押え部材２の一端部の被係部５を係合させるだけでドレンホース３を接続できるので、排水溝部材１の両側の係部４，４とホース押え部材２の両端部の被係部５，５をそれぞれ係合させるドレンホース接続構造に比べて、ドレンホース３の接続作業を更に簡単に行えるという利点がある。また、別体に形成したホース押え部材２に比べて、ホース押え部材を紛失しないという効果もある。
なお、この実施形態において、係部４をホース押え部材２の一端部の下面に形成し、被係部５を排水溝部材１の片側の側堤部１ｂに形成してもよいことは言うまでもない。
【００５７】
図１１は、更に他の実施形態に係るドレンホース接続構造の横断面図である。
このドレンホース接続構造は、ドーム状に凸湾曲するホース押え部材２の両端部に、外側に向かって水平に突き出すフランジ形状の係部４，４を形成し、排水溝部材１の両側の側堤部１ｂ，１ｂの内側面下部に形成された凹条１ｆ，１ｆ（前記蓋部材１ｄの両側のフランジ部１ｅ，１ｅを挿入するための凹条）を被係部５，５として利用して、この被係部５，５にホース押え部材２のフランジ形状の係部４，４をスライド係合させることにより、図１１に示すように、ホース押え部材２が排水溝部材１の溝部１ａを跨いだ状態でホース押え部材２の両端部を排水溝部材１の両側の側堤部１ｂ，１ｂに脱着可能に取付け、ドレンホース３の端部３ａをホース押え部材２と溝部１ａの内底面（底板部１ｃの上面）とで上下から挟持して、ドレンホース３を排水溝部材１に直接、接続したものである。
【００５８】
ホース押え部材２としては、半硬質ないし硬質の合成樹脂で成形したものや、金属板を曲げ加工したもののように、湾曲変形した際に弾性的に反発するものが使用され、図１１に示すように、両端部のフランジ形状の係部４，４を排水溝部材１の被係部５，５（凹条１ｆ，１ｆ）にスライド係合させてホース押え部材２を取付けたときに、ホース押え部材２の高さ（溝部１ａの内底面からホース押え部材２の中心部の下面までの高さ）がドレンホース３の外径と同じか若干低いものが使用される。なお、図１１はホース押え部材２の高さがドレンホース３の外径と同じ場合を示しており、ホース押え部材２の高さがドレンホース３の外径より若干低い場合は、ドレンホース３の端部３ａが若干扁平に変形して強固に挟持される。
【００５９】
ホース押え部材２の係部４，４のスライド係合は、係部４，４を排水溝部材１の被係部５，５（凹条１ｆ，１ｆ）の後端から前方に向かってスライドさせて係合してもよいし、係部４，４の相互間隔が少し狭くなるようにホース押え部材２を弾性変形させて、係部４，４を被係部５，５（凹条１ｆ，１ｆ）の内側開口部からホース押え部材２の弾性復元力を利用して被係部５，５にスライド（挿入）させて係合してもよい。
【００６０】
ホース押え部材２のフランジ形状の係部４，４は、図１２に示すように、外側斜め上向きに突き出して形成してもよく、これに対応して、排水溝部材１の被係部５，５（凹条１ｆ，１ｆ）を外側斜め上向きに傾斜させて形成してもよい。
係部４，４と被係部５，５を上記のように形成すると、ホース押え部材２に上向きの外力や両側からの外力が作用しても、係部４，４と被係部５，５の係合が一層解除され難くなるので、ホース押え部材２が排水溝部材１から外れる心配が激減するという利点がある。
このドレンホース接続構造のその他の構成は、前述の図１１に示すドレンホース接続構造のそれと同じであるので、図１２において同じ部材に同じ符合を付すにのみとし、重複する説明を省略することにする。
【００６１】
次に、ドレンホースを凹型部材を介して排水溝部材に接続するタイプのドレンホース接続構造の実施形態について説明する。
【００６２】
図１３は凹型部材を介してドレンホースを接続するタイプのドレンホース接続構造を示す斜視図、図１４は図１３のＢ−Ｂ線に沿った横断面図、図１５は図１４のＣ−Ｃ線に沿った縦断面図（ドレンホースを仮想線で示したもの）、図１６は凹型部材の斜視図であって、１は排水溝部材、２はホース押え部材、３はドレンホース、６は凹型部材を示している。
【００６３】
このドレンホース接続構造に用いる凹型部材６は、図１３〜図１６に示すように、底部６ａと、底部６ａの両側端から立ち上がる立上り部６ｂ，６ｂと、これらの底部６ａと立上り部６ｂ，６ｂとで囲まれた凹部６ｃと、立上り部６ｂ，６ｂの上端から外側に突き出して水平に形成されたフランジ部６ｄ，６ｄと、立上り部６ｂ，６ｂの外側面下端部に形成された凸条６ｅ，６ｅとを備えた凹型部材であって、両側のフランジ部６ｄ，６ｄの上面には、前述した略キノコ形状の係部４，４、即ち、上端が丸くなった円錐形の膨大頭部４ａと、この膨大頭部４ａの下端の最大直径よりも小さい直径を有する円柱形の基部４ｂとを備えた略キノコ形状の係部４，４が形成されている。この係部４，４の相互間隔は、図１〜図３に示すドレンホース接続構造において、排水溝部材１の側堤部１ｂ，１ｂに形成された略キノコ形状の係部４，４の相互間隔と同一になっている。
【００６４】
凹型部材６の凸条６ｅ，６ｅは、排水溝部材１の凹条１ｆ，１ｆに実質的に隙間なく挿入できるように、凹条１ｆ，１ｆに対応合致した寸法とされており、また、片側の立上り部６ｂの外側面から反対側の立上り部６ｂの外側面までの寸法は、排水溝部材１の片側の側堤部１ｂの内側面から反対側の側堤部１ｂの内側面までの寸法、つまり、排水溝部材１の溝部１ａの幅寸法と実質的に同一とされている。そして、凹型部材６の高さ寸法（底部６ａの下面からフランジ部６ｄ，６ｄの上面までの寸法）は、排水溝部材１の溝部１ａの深さ寸法にフランジ部６ｄ，６ｄの厚さ寸法を加えた寸法とされている。従って、図１３，図１４に示すように、凹型部材６の凸条６ｅ，６ｅを排水溝部材１の後端から凹条１ｆ，１ｆに挿入すると、凹型部材６を排水溝部材１の溝部１ａの内側に嵌め込んだ状態で取付けることができ、このように凹型部材６を取付けると、フランジ部６ｄ，６ｄが排水溝部材１の両側の側堤部１ｂ，１ｂの上面に係止するようになっている。
【００６５】
また、この凹型部材６の凹部６ｃの内底面、つまり、底部６ａの上面は、その後端から前端に向かって徐々に低くなる傾斜面、つまり、排水溝部材１に凹型溝部材を取付けたときに排水溝部材１の上流側から下流側に向かって徐々に低くなる傾斜面に形成されている。
【００６６】
このような凹型部材６は、軟質ないし半硬質、或いは、硬質の熱可塑性合成樹脂で射出成形すると、容易に作製できるので好ましいが、合成樹脂以外のゴム、金属などで作製しても勿論よい。
なお、凸条６ｅ，６ｅに代えて、排水溝部材１の凹条１ｆ，１ｆに挿入可能な凸部を設けてもよい。また、凸条６ｅ，６ｅやフランジ部６ｄ，６ｄは省略してもよく、フランジ部６ｄを省略するときは、両側の立上り部６ｂ，６ｂの上端に略キノコ形状の係部４，４を形成すればよい。さらに、凹部６ｃの内底面（底部６ａの上面）は、必ずしも傾斜面とする必要はなく、後述するように水平な内底面としても勿論よい。
【００６７】
この実施形態に用いる排水溝部材１、ホース押え部材２、ドレンホース３は、前述した図１〜図３のドレンホース接続構造に用いる排水溝部材１、ホース押え部材２、ドレンホース３と同様のものであるので、図１３〜図１５において同一部分に同一符合を付するのみとし、重複する説明を省略することにする。
【００６８】
この図１３〜図１５に示す実施形態のドレンホース接続構造は、上記のように凹型部材６を排水溝部材１の溝部１ａの上流側端部に嵌め込んだ状態で取付けると共に、好ましくは接着剤等で水密的に接着し、凹型部材６の凹部１６ｃの傾斜した内底面（底部６ａの上面）にドレンホース３の端部３ａを載置して、その上にホース押え部材２を配置し、凹型部材６の両側の立上り部６ｂ，６ｂに形成された略キノコ形状の係部４，４と、ホース押え部材２の両端部に形成された丸穴形状の被係部５，５を圧入係合させることによって、矩形状のホース押え部材２が凹型部材６の凹部６ｃを跨いだ状態でホース押え部材２の両端部を凹型部材６の両側の立上り部６ｂ，６ｂの上端に脱着可能に取付け、ホース押え部材２と凹型部材６の凹部６ｃの内底面（底部６ａの上面）とでドレンホース３の端部３ａを上下から挟持して、ドレンホース３を排水溝部材１に凹型部材６を介して接続したものである。
【００６９】
このようなドレンホース接続構造であると、ドレンホース３の端部３ａの位置が凹型部材６の凹部６ｃの内底面（底部６ａの上面）と同じ高さまで低下して排水溝部材１の溝部１ａの内底面に接近し、凹部６ｃの内底面に沿って若干傾斜するだけであるので、ドレンホース３が長くても、ドレン水が滞溜するほどドレンホース３の端部３ａに近い部分が下方に湾曲して弛むことはない。従って、ドレン水がドレンホース３から排水溝部材１の溝部１ａにスムーズに流入し、溝部１ａの下流側端からバルコニーや共同廊下の排水路に排出される。
しかも、このドレンホース接続構造のように、凹型部材６が排水溝部材１の溝部１ａの上流側端部に嵌まり込んだ状態で好ましくは水密的に接着され、かつ、凹型部材６の凹部６ｃの内底面（底部６ａの上面）が排水溝部材１の下流側に向かって傾斜する傾斜面に形成されていると、ドレンホース３から流入するドレン水の量が多かったり、ドレン水の流勢が強い場合でも、ドレン水の逆流が凹型部材６や凹部６ｃの傾斜する内底面によって防止され、ドレン水を排水溝部材１の溝部１ａに確実に流すことができる。
また、ホース押え部材２の一端部の被係部５と凹型部材６の片側のフランジ部６ｄの係部４との係合を解除すれば、簡単にドレンホース３を凹型部材６から取り外して清掃、点検などを行うことができ、その後、係合が解除された被係部５と係部４を再び脱着可能に圧入係合するだけで、ドレンホース３の端部３ａを簡単に接続できるので、メンテナンスも容易である。
【００７０】
図１７は凹型部材を介してドレンホースを接続するタイプの他の実施形態に係るドレンホース接続構造の縦断面図、図１８はそのドレンホース接続構造に用いる凹型部材を示す斜視図である。
【００７１】
この実施形態のドレンホース接続構造に用いる凹型部材６は、図１８に示すように、凹部６ｃの内底面（底部６ａの上面）が水平面とされ、その中央に左右方向に長い凸リブ６ｆ（凹型部材６を排水溝部材１の溝部１ａに嵌め込んで取付けたときに排水溝部材１の幅方向に長い凸リブ）が形成されている。
そして、片側の立上り部６ｂ上端のフランジ部６ｄにのみ略キノコ形状の係部４が形成され、反対側の立上り部６ｂ上端のフランジ部６ｄには、矩形状のホース押え部材２の他端部が一体に結合されている。
また、ホース押え部材２の中央部下面には、左右方向に長い凸リブ２ｂ（凹型部材６を排水溝部材１の溝部１ａに嵌め込んで取付けたときに排水溝部材１の幅方向に長い凸リブ）が形成されており、ホース押え部材２の一端部には、前述の丸穴部５ａと切込み部５ｂ，５ｂを有する被係部５が形成されている。
この凹型部材６のその他の構成は、前述した図１６の凹型部材６のそれと同様であるので、図１８において同一部分に同一符合を付し、説明を省略することにする。なお、凹部６ｃの内底面（底部６ａの上面）は、図１６の凹型部材１と同様に、傾斜面としても勿論よい。また、凸リブ２ｂ，６ｆに代えて突起部を形成してもよい。
【００７２】
図１７に示す実施形態のドレンホース接続構造は、上記の凹型部材６を排水溝部材１の溝部１ａの上流側端部に嵌め込んだ状態で取付けると共に、好ましくは接着剤等で水密的に接着し、環状山部３ｂと環状谷部３ｃを交互に連成したコルゲート管状のドレンホース３の端部３ａを凹型部材６の凹部１６ｃの水平な内底面（底部６ａの上面）に載置して、凸リブ６ｆを環状谷部３ｃに係合させ、その上にホース押え部材２を配置して下面の凸リブ２ｂを環状谷部３ｃに係合させると共に、凹型部材６の片側の立上り部６ｂ，６ｂに形成された係部４と、ホース押え部材２の一端部に形成された被係部５を圧入係合させることによって、矩形状のホース押え部材２が凹型部材６の凹部６ｃを跨いだ状態でホース押え部材２の一端部を凹型部材６の片側の立上り部６ｂ，６ｂの上端に脱着可能に取付け、ホース押え部材２と凹型部材６の凹部６ｃの内底面（底部６ａの上面）とでドレンホース３の端部３ａを上下から挟持して、ドレンホース３を排水溝部材１に凹型部材６を介して接続したものである。
【００７３】
上記のドレンホース接続構造では、凹型部材６の凸リブ６ｆとホース押え部材２の凸リブ２ｂがコルゲート管状のドレンホース３の環状谷部３ｃに係合しているため、ドレンホース３の抜け出しを確実に防止することができ、凹型部材６によってドレン水の逆流を防止することもできる。また、ホース押え部材２の一端部の被係部５と凹型部材１の片側の立上り部６ｂ上端の係部４との圧入係合を解除するだけで、簡単にドレンホース３を凹型部材６から取り外して清掃、点検などを行うことができるので、メンテナンスも容易である。なお、一定の突出寸法を有する凸リブ２ｂ又は６ｆと、その左右方向に隣りあって、一定の突出寸法よりも突出高さが大きい凸リブ２ｂ又は６ｆ（不図示）とを併せて設けておけば、外径寸法の小さいドレンホースも同様に接続することができるので、汎用性が高まる。
【００７４】
図１９は、凹型部材を介してドレンホースを接続するタイプの更に他の実施形態に係るドレンホース接続構造の斜視図であって、ドレンホースを仮想線で示したものである。
【００７５】
このドレンホース接続構造において排水溝部材１の上流側の端面に接着剤等で水密的に接合される凹型部材６は、その凹部６ｃの幅寸法が排水溝部材１の溝部１ａの幅寸法と同一になっており、また、両側の立上り部６ｂ，６ｂの形状および高さも、凹条が立上り部６ｂ，６ｂの内側面下端部に形成されていない点を除いて、排水溝部材１の両側の側堤部１ｂ，１ｂの形状および高さと同一になっている。そして、この立上り部６ｂ，６ｂの上面に前述の略キノコ形状の係部４，４が形成され、矩形状のホース押え部材２の両端部に形成された丸穴形状の被係部と圧入係合するようになっている。
但し、この凹型部材６の凹部６ｃの内底面（底部６ａの上面）は、排水溝部材１の溝部１ａの水平な内底面と異なり、後端（上流側端）から前端（下流側端）に向かって低くなる傾斜面に形成されており、凹型部材６の後端において凹部６ｃの内底面の高さが両側の立上り部６ｂ，６ｂの上面の高さと同一になって、凹部６ｃが消滅している。
【００７６】
この実施形態のドレンホース接続構造は、上記の凹型部材６を排水溝部材１の上流側の端面に接着剤等で水密的に接合し、ドレンホース３の端部３ａを凹型部材６の凹部６ｃの内底面（底部６ａの上面）に載置して、その上にホース押え部材２を配置し、凹型部材６の係部４，４とホース押え部材２の被係部を圧入係合させることによって、ホース押え部材２が凹型部材６の凹部６ｃを跨いだ状態でホース押え部材２の両端部を凹型部材６の両側の立上り部６ｂ，６ｂの上端に脱着可能に取付け、凹型部材６の凹部６ｃの内底面とホース押え部材２とでドレンホース３の端部３ａを上下から挟持して、ドレンホース３の先端を排水溝部材１の溝部１ａの上流側端に臨ませた状態で、ドレンホース３を排水溝部材１に接続したものである。
【００７７】
このようなドレンホース接続構造も、ドレンホース３の端部に近い部分が下方に湾曲して弛むことがないので、ドレンホース３からドレン水を排水溝部材１の溝部１ａにスムーズに流入させることができ、しかも、凹型部材６の凹部６ｃの内底面が傾斜面とされて上流側端で凹部６ｃが消滅しているので、ドレン水の逆流を防止することができる。また、ドレンホース３の接続作業や取外し作業を簡単に行えるので、メンテナンスも容易である。
【００７８】
なお、図１３〜図１９に示すそれぞれの実施形態では、凹型部材６の立上り部６ｂの上端に略キノコ形状の係部４を形成し、ホース押え部材２の端部に丸穴形状の被係部５を形成しているが、凹型部材６の立上り部６ｂに被係部５を形成し、ホース押え部材２の端部に係部４を形成しても勿論よく、また、係部４と被係部５の形状を前述した種々の形状に変更しても勿論よい。
【符号の説明】
【００７９】
１    排水溝部材
１ａ  溝部
１ｂ  側堤部
１ｃ  底板部
１ｄ  蓋部材
１ｆ  凹条
２  ホース押え部材
２ｂ  凸リブ  
３  ドレンホース
３ａ  ドレンホースの端部
３ｂ  環状山部
３ｃ  環状谷部
４    係部
４ａ  膨大頭部
４ｂ  基部
５    被係部
６  凹型部材
６ａ  底部
６ｂ  立上り部
６ｃ  凹部
６ｆ  凸リブ
【図１】
2015190626.tif 000003
【図２】
2015190626.tif 000004
【図３】
2015190626.tif 000005
【図４】
2015190626.tif 000006
【図５】
2015190626.tif 000007
【図６】
2015190626.tif 000008
【図７】
2015190626.tif 000009
【図８】
2015190626.tif 000010
【図９】
2015190626.tif 000011
【図１０】
2015190626.tif 000012
【図１１】
2015190626.tif 000013
【図１２】
2015190626.tif 000014
【図１３】
2015190626.tif 000015
【図１４】
2015190626.tif 000016
【図１５】
2015190626.tif 000017
【図１６】
2015190626.tif 000018
【図１７】
2015190626.tif 000019
【図１８】
2015190626.tif 000020
【図１９】
2015190626.tif 000021